(57)【特許請求の範囲】
【請求項１】
少なくとも手の甲および手のひらを包む布もしくは皮革製の手袋部と、
この手袋部に一体に繋がり前記手袋部を手に着用した状態で手首に巻き付けられて固定される布もしくは皮革製のバンド部と、
前記手袋部における手のひらを覆う部分から手のひら側に沿って前記バンド部に延びるとともに前記手袋部および前記バンド部と一体に重なって取り付けられた伸縮可能で且つ伸長されたときに引っ張り弾性を有するゴム等の部材から作られた引っ張り手段とからなり、
この引っ張り手段は、前記手袋部を手に装着するとともに前記バンド部を手首に巻き付けて固定した状態で、少なくとも手首に対して手を真直ぐに延ばした状態から手の甲を外側に曲げる動きに対して、前記手の甲を外側に曲げる動きを許容しつつ前記手のひらを内側に引っ張る方向の引っ張り弾性力を発揮することを特徴とする手袋。
【請求項２】
前記引っ張り手段は、手首に対して手を真直ぐに延ばした状態で手のひらを内側に引っ張る所定の引っ張り力を有し、手の甲を外側に曲げるに応じてこの引っ張り力が大きくなるように構成されていることを特徴とする請求項１に記載の手袋。
【発明の詳細な説明】
【０００１】
【産業上の利用分野】
本発明は、ゴルフ、テニス、野球等のスポーツをするときにクラブ等を振る場合や、自動車の運転をするときにハンドルを握る場合、さらにはスコップを使用して穴掘作業を行う場合等、手を使う動作を行う場合に、いわゆる手首の関節（手と手首の間の関節）の不必要な動きを抑えて正確なショットをできるようにしたり、運転時あるいは作業時の疲労を軽減させたり、作業をし易くさせたりすることのできる機能を有した手袋に関する。
【０００２】
【従来の技術】
ゴルフ、テニス、野球等のスイングにおいてはスイング中における手首の動きが、打球の飛ぶ方向および速さに非常に大きく影響することは良く知られている。例えば、ゴルフの場合には、図１３に示すように、クラブ１を握ってスイングしたときにおける手５０の甲５１の面内での手５０と手首５３との間の関節（手首の関節）５３ａを中心とした手５０の運動（図１３（Ａ）において矢印Ｘで示す方向の運動であり、ゴルフにおいては手首のコックという表現が用いられる方向の運動）は打球の速度を増加させるのに有効であり且つ飛球方向への影響は少ない。
【０００３】
しかし、手首の関節５３ａを中心とした手の甲５１と直角な方向の手５０の運動（図１３（Ｂ）において矢印Ｙで示す方向の運動）は打球の速度を低下させるだけでなく、クラブフェースの面の向きを変化させるため飛球方向を不安定にする要因の一つとなっている。
このことから分かるように、スイング中においては、手の甲５１の面内での手５０の動きは行わせるのが良いが、手の甲５１と直角な方向の手５０の動き（特に、手の甲５１を外側に曲げるような動き）はできるかぎり規制するのが望ましい。
【０００４】
このようなことは、ゴルフの場合に限られず、テニスにおいてラケットを振る場合や、野球においてバットを振る場合にも同様のことが言え、手の甲５１と直角な方向の手５０の動きはできるかぎり規制するのが打球の速度を増加させると共に飛球方向を安定させることに繋がる。すなわち、手で握った道具を使って球を打つスポーツ全般において、手の甲を外側に曲げるような動きはできるかぎり規制するのが望ましいわけである。
【０００５】
また、自動車の運転を行う場合、長時間ハンドルを握ることにより手や腕に疲労を生ずる場合があるが、これは、手の甲を外側に曲げたままハンドルを握っていたときにおこり易い。
さらに、スコップを用いて穴掘作業を行う場合等においても、手の甲が外側に曲がった状態でスコップを握ると、穴掘時に力を入れにくいばかりか作業による疲労も大きくなる。
したがって、前記のようなスポーツにおいてのみならず、これらのような場合にも手の甲を外側に曲げるような動きはできるかぎり規制するのが望ましい。
【０００６】
【発明が解決しようとする課題】
しかしながら、人間の手首の関節は手の甲と直角な方向の手の動き（図１３（Ｂ）において矢印Ｙで示す方向の運動）は非常に容易で自然なようにできており、かえって手の甲の面内での手の動き（図１３（Ａ）において矢印Ｘで示す方向の運動）の方が不自然なくらいである。このため、ゴルフ等のスイングに際して手の甲と直角な手の動きが生じやすく、十分な訓練をしないと、打球速度が遅くなったり、打球が曲がったりし易いという問題がある。
【０００７】
また、疲労防止のため自動車の運転中に手を内側に曲げることを意識しすぎたり、手の甲を外側に曲げていたことにより手や腕に疲労を生じた場合には、安全な自動車の運転を妨げることになるという問題がある。
さらに、スコップによる穴掘作業を行う場合に、手の甲が外側に曲がっていると、疲労が大きくなって作業効率が低下したり、手首の関節部（手首の関節あるいは周辺の筋等）を傷めることもあるという問題もある。
【０００８】
本発明はこのような問題に鑑みたもので、スポーツにおけるスイング時や、自動車の運転時、あるいは各種作業時における手首の関節を中心とした手の甲と直角な方向の手の動き（特に、手の甲を外側に曲げるような手の動き）を抑えることにより、力強く、方向性の安定した打球を生み出すようなスイングを行わせることができたり、自動車の運転時、あるいは各種作業時に疲労を軽減させると共に、作業を行い易くすることができるような構成の手袋を提供することを目的とする。
【０００９】
【課題を解決するための手段および作用】
このような目的達成のため、本発明に係る手袋は、少なくとも手の甲および手のひらを包む布もしくは皮革製の手袋部と、この手袋部に一体に繋がり前記手袋部を手に着用した状態で手首に巻き付けられて固定される布もしくは皮革製のバンド部と、手袋部における手のひらを覆う部分から手のひら側に沿ってバンド部に延びるとともに手袋部およびバンド部と一体に重なって取り付けられた伸縮可能で且つ伸長されたときに引っ張り弾性を有するゴム等の部材から作られた引っ張り手段とからなり、この引っ張り手段は、前記手袋部を手に装着するとともに前記バンド部を手首に巻き付けて固定した状態で、少なくとも手首に対して手を真直ぐに延ばした状態から手の甲を外側に曲げる動きに対して、前記手の甲を外側に曲げる動きを許容しつつ前記手のひらを内側に引っ張る方向の引っ張り弾性力を発揮するように構成されている。
【００１０】
なお、この引っ張り手段は、手首に対して手を真直ぐに延ばした状態では引っ張り力は働かず、手の甲を外側に曲げるに応じて手のひらを内側に引っ張るように作用するように構成することもできるが、手首に対して手を真直ぐに延ばした状態において、既に手のひらをある程度の力で内側に引っ張る所定の引っ張り力を有するように構成し、手の甲を外側に曲げるに応じてこの引っ張り力が大きくなるように構成するのが好ましい。
【００１１】
この手袋を用いた場合には、手首に対して手を真直ぐに延ばした状態から手の甲を外側に曲げると、引っ張り手段が手のひらを内側に引っ張る。すなわち、手の甲を外側に曲げようとすると引っ張り手段はこれを抑える方向に引っ張り力を作用させ、手の甲が外側に曲げられるような手の動きは規制される。但し、引っ張り手段は手袋部の手のひらを覆う部分からバンド部に延びているものであり、この方向の引っ張り力が作用するだけである。このため、手の面内方向で手を曲げるような方向の手の動き（例えばゴルフスイングにおいてはコック方向の動き）に対してはこのような規制は働かず、このような手の運動は許容される。
【００１２】
また、上記目的達成のため、少なくとも手の甲および手のひらを包む手袋部と、この手袋部に一体に繋がり手袋部を手に着けた状態で手首に装着される手首部とから手袋を構成し、手首に手首部を装着した状態で手袋部の甲部を手首部に対して真直ぐより手のひら側に曲がるように形成してもよい。
この手袋によれば、手袋を着用した状態においては手の甲の面と直角な方向の手の動きを抑えることができ、手の面内方向で手を曲げるような方向の手の動きに対しては手首部の動きの規制は働かず、面方向の運動は許容される。
【００１３】
なお、手首部の手のひら側の一部を弾性部材によって形成したときには、手の甲を直角方向に曲げる動きはある程度許容させることができるが、引っ張り手段による抗力が作用するため手首の関節を動かすときに抵抗が加わることとなり、ゴルフ等のスイングを行うときや、自動車のハンドルを握ったとき、あるいはスコップ等の作業用具を握った場合には、手の甲が手首に対して真直ぐよりも内側に曲がった状態を維持することができる。
【００１４】
また、手袋の手首部における手のひら側を甲側に比べて短く形成することにより、手に着用した状態で甲部分を手首部に対して真直ぐよりも手のひら側に曲がって保持するように構成した場合には、手首部の内側（手のひら側）が外側（手の甲側）に引っ張り上げられ、手の甲側が内側に曲がった形状に手袋が形成される。このため、手袋を着用するだけで手首に対して手の甲を真直ぐよりも内側に曲がった形状で保持させることができる。
【００１５】
さらに、手首部の手のひら側の一部に切り欠きを形成し、この切り欠きを縫合等によって接合させることにより、手の甲側が内側に曲がった形状となるように手袋を形成してもよい。
また、手首部の手のひら側の一部に形成された切り欠きの開口部に引っ張り手段を取り付けることにより、手の甲を直角方向に曲げる動きをある程度許容させつつ、引っ張り手段による抗力により、手の甲が真直ぐよりも内側に曲がった状態を維持することができるように構成してもよい。
【００１６】
【実施例】
以下、図面を参照して本発明の好ましい実施例について説明する。
まず、本発明にかかる手袋１０を手に着けてゴルフを行う場合について説明する。そして、ゴルフクラブ１を握った状態を図１に示し、この手袋１０を手のひら側から見た状態を図２に示している。以下、両図を参照して説明する。
【００１７】
この手袋１０は、５本の指、手のひらおよび甲を覆って手に着けられる布、皮革等から作られた手袋部１１と、この手袋部１１の手首側に一体に係がったバンド部１３と、手袋部１１およびバンド部１３において、手に着けた状態で手のひらを覆う部分に手首側から手のひら側に延びて一体に取り付けられたゴム、樹脂等からなる引っ張り部材（引っ張り手段）１５とから構成される。なお、バンド部１３の両端にはいわゆるマジックファスナーと称される商品名の雌雄係止手段１４ａ、１４ｂが設けられており、手を手袋部１１内に差し込んだ後、雌雄係止手段１４ａ、１４ｂを係止させることにより、図２に示すように、バンド部１３をしっかりと手首に巻き付け、この手袋１０を手Ｈに取り付けるようになっている。
【００１８】
引っ張り部材１５は、ゴム等の引っ張り弾性を有する部材から作られており、図２における矢印Ａ方向の力に対してこれと逆方向の引っ張り力を発生するようになっている。このため、図２に示すように手に手袋１０を着けた状態で、手首を中心として手の甲を外側に曲げると（矢印Ｙ方向に曲げると）、引っ張り部材１５は図２の矢印Ａ方向に引っ張られこれと逆方向の引っ張り力を発生する。すなわち、手の甲を外側に曲げると、引っ張り部材１５が引っ張り力を発生し、これが手のひらを内側に曲げる方向に作用する。
【００１９】
なお、この引っ張り力は引っ張り部材１５に加わる矢印Ａ方向の力が強い程大きい。すなわち、手の甲の外側への曲げ角が大きくなる程これに抗する引っ張り力は大きくなる。
この引っ張り力は手を真直ぐ延ばした状態でほぼ零となり、手の甲を外側に曲げるに応じて大きくなるように設定しても良いが、手を真直ぐに延ばした状態ですでに所定の引っ張り力が発生するように設定するのが好ましい。
【００２０】
このことから分かるように、この手袋１０を着用すれば、手首の関節を中心として手の甲を外側に曲げるような手の動きは引っ張り部材１５の引っ張り力により抑制される。なお、引っ張り部材１５は図２の矢印Ａ方向の引っ張りに対する抗力を発生するだけであるので、手のひら（もしくは甲）と同一面内での手の動き（コック方向の手の動き）に対してはこのような抑制力は作用しない。
【００２１】
このため、この手袋１０を着用した場合には、図１３におけるＸ方向の手の動きは許容しつつ、Ｙ方向の手の動きのみを抑制することができ、曲がりが少なく且つ速度の速い打球を生み出すスイングを行うのが容易となる。
また、従来では、スイングの最後においてクラブの慣性により手の甲が外側に無理に曲げられて手首の関節部を痛めるおそれがあったが、この手袋１０を着けると、このような慣性に対しては引っ張り部材１５の引っ張り力がこれを吸収し、その後、さらに手を元の位置に戻すため、このような手首の関節部の怪我防止にも役立つ。
【００２２】
また、上記の実施例においては、本発明に係る手袋１０を手Ｈに着けて、ゴルフクラブ１を握ってスイングを行う場合について説明したが、本発明はこれに限れれるものではない。すなわち、テニスにおいてラケットのスイングを行う場合や、野球においてバットのスイングを行う場合、あるいはゲートボール、ホッケー等でスティックのスイングを行う場合等、手Ｈで用具を握ってスイングを行うスポーツにおいて、手の甲と同一面内の手の動きは許容しつつ、手の甲を外側に曲げる動きのみを抑制することができる。これにより、曲がりが少なく且つ速度の速い打球を生み出すスイングを行うのが容易となると共に、スイングの最後においてバット等の慣性により手の甲が外側に無理に曲げられて手首の関節部を痛めることも防止することができる。
【００２３】
さらに、本発明に係る手袋１０は、上記のようにスイングを行うスポーツのみならず、自動車の運転を行う場合にも用いることができる。すなわち、図３に示すように、ハンドルＳ１を握る手Ｈに手袋１０を着けた場合には、前記のように手のひらを内側に引っ張る方向に力が作用するため、ハンドルＳ１を長時間握っている場合でも、手の甲が外側に曲がることがない。このため、運転時における手および腕の疲労を軽減させることができ、安全に自動車の運転を行うことができる。
【００２４】
また、本発明に係る手袋１０は、種々の作業を行う場合にも用いることができる。例えば、図４に示すようにスコップＳ２を使用して穴掘作業を行う場合には、通常片手Ｈ１でスコップＳ２の支柱の中間部Ｓ２ａを握り、他方の手Ｈ２でスコップＳ２の後端に形成された取っ手Ｓ２ｂを握る。そして、両腕を下方に延ばしてスコップＳ２の先端部を地面に差して穴掘作業を行う。このとき、取っ手Ｓ２ｂを握った手Ｈ２が矢印Ｙで示すように手の甲が外側に曲がると、スコップＳ２に対して効率良く腕の力が作用せず、疲労が大きくなるばかりか、スコップＳ２を地面に差したときの反力によって特に手Ｈ２の手首の関節部を傷めるおそれもある。しかしながら、手袋１０を着けた場合には、手Ｈ１およびＨ２共に手のひら側が内側に引っ張られているため、手首に対して手を真直ぐに保持することができ、矢印Ｉで示す方向に効率よく力を作用させることができると共に、スコップＳ２を差したときの反力は引っ張り部材１５の引っ張り力により吸収される。このため、穴掘作業が行い易く疲労が少なくなると共に、手首の関節部を傷めるようなこともない。
【００２５】
さらに、手袋１０を着けることにより、いわゆる金槌で釘を打つ作業を行う場合や、つるはしでの掘削作業をする場合等においても、作業時の疲労を軽減させ効率よく作業を行うことができる。また、スキーのときにストックを握る場合や、自転車に乗ってハンドルを握る場合にも手袋１０を着ければ、手の甲を外側に曲げる動きが規制されるため、手や腕の疲労を軽減させることができる。
尚、金槌で釘を打つ場合においては、釘打ち作業に熟達していない者は、釘打ち時に手が直角方向に曲がりやすく、釘の頭部を正確に打つことが難しいが、手袋１０を着けることにより手首に対して手を真直ぐに保持することができるため、釘打ち作業に熟達していない者であっても熟練者のように釘の頭部を正確に打つことができ、手や腕の疲労を軽減させることができるのみならず、釘を真直ぐに打つことも容易に可能となる。
【００２６】
本発明に係る手袋は、図１および図２に示したものに限られる訳ではなく、種々の変形例が考えられる。
例えば、図５に示すように、指先が入る部分をカットした形状の手袋部２１と、バンド部２３とから一体に手袋２０を構成することもできる。この手袋２０では、バンド部２３の一部が図示のようにゴム紐２３ａから作られており、バンド部２３は長手方向に伸縮自在であり、両端に互いに係合可能な雌雄ボタン２４ａ、２４ｂが取り付けられている。
そして、手袋部２１における手のひらを覆う部分から手首側に延びて引っ張り部材２５が一体に形成されている。
【００２７】
この手袋２０は、手袋部２１内に手を挿入するとともにバンド部２３を手首に巻き付けた後、雌雄ボタン２４ａ、２４ｂを係合させて、着用される。このとき、バンド部２３の一部がゴム紐２３ａから作られているので、バンド部２３をしっかりと手首に巻き付けて取り付けることができる。この状態で、引っ張り部材２５は手のひらから手首に向かって延び、手の甲が外側に曲げられるような動きに対して引っ張り力を発生させる。このため、この手袋２０を着けてた場合にも、スイング中に手の甲が外側に曲がるような手の動きが抑えられる。
【００２８】
このように、本例の手袋２０を着けても、ゴルフクラブ等のスイング中において、手の甲が外側に曲がる手の動きは阻止されるが、手の甲と同一面内での手の動きは容易であり、曲がりが少なく且つ速度の速い打球を生み出すスイングを行うのが容易となる他、スイングの最後においてクラブの慣性により手の甲が外側に無理に曲げられて手首の関節部を傷めることを防止することが可能である。
また、自動車の運転を行うときにハンドルを握る場合や、スコップを握って穴掘作業を行う場合等にも、疲労を軽減させ且つ効率よく作業を行うことができる。
【００２９】
以上の例において、引っ張り部材１５、２５は、図１に示すように手首に対して手を真直ぐ延ばした状態から、手の甲を外側に（Ｙ方向に）曲げたとき、これに抗して引っ張り力を発生するようにしても良いが、本発明の目的をより効果的に達成するには、手を真直ぐに延ばした状態で引っ張り部材１５、２５は手のひらを内側に曲げる方向（Ｙ方向と反対の方向）にある程度の引っ張り力を発生させるようにするのが好ましい。このようにすれば、手の甲を外側に曲げる運動に対してより強い引っ張り力を作用させることが可能である。
【００３０】
さらに、本発明の他の例について図６から図１２を参照しながら説明する。
まず、図６から図８を参照しながら手袋３０について説明する。尚、図６は手袋３０を手に着けてゴルフクラブ１を握った状態であり、図７はこの手袋３０を手のひら側から見た状態を示し、図８は、図７におけるＢ方向からの矢視図である。
【００３１】
この手袋３０は、５本の指、手のひらおよび甲を覆って手に着けられる布、皮革等から作られた手袋部３１と、この手袋部３１の手首側に一体に繋がったバンド部３３と、バンド部３３において手に着けた状態で手首側に取り付けられたゴム、樹脂等からなる弾性部材（伸縮部材）３５とから構成される。なお、バンド部３３の両端には前記手袋１０と同じく雌雄係止手段３４ａ、３４ｂが設けられており、手を手袋部３１内に差し込んだ後、雌雄係止手段３４ａ、３４ｂを係止させることにより、図６に示すように、バンド部３３をしっかりと手首に巻き付け、この手袋３０を手Ｈに取り付けるようになっている。
そして、このバンド部３３および伸縮部材３５により請求の範囲に記載の手首部が構成されることとなる。
【００３２】
バンド部（手首部）３３は、手Ｈに着用した状態において、手の甲側３１ａに比べて手のひら側３１ｂが短く形成されている。すなわち、バンド部３３の基端部を手首の関節の揺動中心位置よりも手のひら寄りに位置させ、手首に巻き付けた状態におけるバンド部３３の両端の位置が手首の関節の揺動中心位置よりも腕寄りに位置させるように形成する。
これにより、図８において二点鎖線で示すようにバンド部３３を手首にしっかりと巻き付ける前は、手の甲側３１ａは外側に曲がった形状となるが、図６および図８に示すようにバンド部３３を手首にしっかりと巻き付けた状態においては、手首部の手のひら側３１ｂがバンド部３３によって矢印Ｚ方向に引き上げられることとなり、手のひら側３１ｂがＹ′方向に曲がるため、手首部の手の甲側３１ａが手首部と真直ぐになる。
【００３３】
伸縮部材３５は、ゴム等の圧縮・引っ張り弾性を有する部材から作られており、図７における矢印Ａ′方向の力に対してこれと逆方向の反発力を発生するようになっている。このため、図６に示すように手に手袋３０を着けた状態で、手首を中心として手の甲を内側に曲げると（矢印Ｙ方向に曲げると）、伸縮部材３５は図７の矢印Ａ′方向に圧縮され、これと逆方向の反発力を発生する。すなわち、伸縮部材３５の反発力に抗する力で手を動かせば、手の甲を内側に曲げることができる。
【００３４】
なお、この反発力は伸縮部材３５に加わる矢印Ａ方向の力が強い程大きいため、前記と同様に手の甲を手首に対してを真直ぐ延ばした状態でほぼ零となり、手の甲を内側に曲げるに応じて大きくなるように設定しても良く、手の甲を少し内側に曲げた状態で反発力および引っ張り力がほぼ零となり、手の甲を手首に対してを真直ぐに延ばした状態で所定の引っ張り力が発生するように設定しても良い。
【００３５】
したがって、バンド部３３による手のひら側３１ｂの引き上げ量を多くすれば、手袋３０における甲側３１ａは手のひら側に曲がることとなり、このように構成された手袋３０を着用すれば、手首の関節を中心として手の甲が手首に対して真直ぐより内側に曲がった状態で保持される。
そして、伸縮部材３５の反発力に抗する力で手を内側に動かせば、矢印Ｙ′方向に示すように手の甲を内側に曲げるような手の動きを行うことができ、伸縮部材３５の引っ張り力に抗する力で動かせば、矢印Ｙ″方向に示すように外側に曲げるような手の動きを行うことができる。
なお、伸縮部材３５は図７の矢印Ａ方向の圧縮・引っ張りに対する抗力を発生するだけであるので、手のひら（もしくは甲）と同一面内での手の動き（ゴルフにおけるコック方向の手の動き）に対してはこのような抑制力は作用しない。
【００３６】
このため、この手袋３０を着用した場合にも、前記と同様に図１３におけるＸ方向の手の動きは許容しつつ、Ｙ方向の手の動きのみを抑制することができ、曲がりが少なく且つ速度の速い打球を生み出すスイングを行うのが容易となる。また、自動車の運転を行う場合にハンドルを握るときや、スコップを握って穴掘作業を行うとき等には疲労を軽減させ且つ効率よく作業を行うことができる。
【００３７】
さらに、図９に示すように、手首部４３に対して手の甲部４１ａを角度αだけ真直ぐより手のひら側（内側）に曲がるような形状に手袋４０を形成するようにしてもよい。このように形成された手袋４０によれば、手袋を着用することにより手首に対して手が真直ぐより内側に曲がって保持される。
そして、手の甲の面を直角方向に曲げる動きを行う場合には、手袋４０を形成する材質の抗力により、手首に対して手を真直ぐにするまでは抵抗を有しながらも許容されるが、それ以上の、手首に対して手を真直ぐより外側に曲げるような動きは規制される。
尚、ここで、手首部４３に対して手の甲部４１ａは、必ずしも角度を有して内側に曲がっている必要はなく、手首に対して手を真直ぐより外側に曲げるような動きが規制されていれば、手首部４３に対して手の甲部４１ａが真直ぐになるように形成されていてもよい。
【００３８】
また、図１０および図１１に示す手袋６０は、手首部６３における手のひら側６１ｂに横方向に延びると共に上下方向に所定の幅を有して切り欠き６２が形成されている。
この切り欠き６２は、図１１（Ａ）に示すように、手首部６３の手のひら側６１ｂの一部を横方向に延びて、且つ、上下方向所定の幅をもってカット部６１′をカットすることにより形成されている。そして、図１１（Ｂ）に示すように、切り欠き６２を縫合等によって結合させると、手のひら側６１ｂにおける手のひら６１ｂから手首部６３にかけての長さが短くなり、手袋部６１の手のひら側６１ｂが矢印Ｙ′で示すように内側に曲がり、手首部６３に対して手の甲部６１ａが角度αだけ真直ぐより内側に曲がった状態で保持される。
このように形成された手袋６０によれば、手袋を着用することにより手首から手の甲にかけて真直ぐより内側に保持することができ、手の甲の面を直角方向に曲げる動きを規制することができる。
【００３９】
次に、図１０および図１２を参照しながら、通常は手首の関節を中心として手の甲が手首に対して真直ぐより内側に曲がった状態で保持され、大きな力を加えたときには手の甲を外側に曲げることが可能なように構成された手袋８０について説明する。この手袋８０は、前記切り欠き６２と同様の切り欠き８２が形成され、この切り欠き８２が形成された手首部８３の内側には伸縮部材８５が取り付けられている。この伸縮部材８５は前記伸縮部材３５と同様に、ゴム等の圧縮・引っ張り弾性を有する部材から作られており、手袋部８１の手のひら側８１ｂをＹ′方向に曲げるような引っ張り力を有して形成されている。
【００４０】
これにより、手袋８０を着用した状態では、通常は図１２において二点鎖線で示すように手のひら側８１ｂがＹ′方向に曲がって切り欠き８２の端面（切り口どうし）が当接接触し、手の甲側８１ａが手首部８３に対して真直ぐより内側に曲がる。そして、伸縮部材８５の引っ張り力に抗する力で手を動かせば、切り欠き８２が開口すると共に伸縮部材８５が伸長作動を行うことにより、手の甲を矢印Ｙ″方向に示すように外側に曲げるような手の動きを行うことができる。
【００４１】
尚、上記各手袋３０、４０、６０、８０において、手袋部の形状を前記手袋２０と同様に指先が入る部分をカットした形状として手袋を構成するようにしてもよい。
【００４２】
また、上記各実施例においてバンド部１３、２３、３３の両端設けられた雌雄係止手段は、いわゆるマジックファスナーや雌雄ボタンに限られず、紐を結ぶことによって手首にしっかりと取り付けるように構成してもよい。
尚、手首に装着される手袋の手首部は、上記の実施例のようにバンド部によって構成される必要はなく、手袋を手に着用した状態で手首の回りにフィットするように（いわゆる「サポータ」にように）形成されていればよい。
【００４３】
なお、上記各実施例において、引っ張り部材１５、２５、伸縮部材３５、８５の材料は、圧縮・引っ張り力を発生させるものであればよく、例えば、ゴム、樹脂（プラスチック）、ビニール、炭素繊維、グラスファイバー、形状記憶合金を織り込んだ繊維等を用いることができる。
【００４４】
【発明の効果】
以上説明したように、本発明に係る手袋を着用した状態では、手首に対して手の甲を外側に曲げる運動に対して、引っ張り部材がこれと反対方向の引っ張り力を発生し、手の甲を外側に曲げる運動を抑制する。また、手首に対して手の甲を真直ぐより手のひら側に曲がった形状で保持させる手袋を着用した状態においても、手を外側に曲げる運動に対しては手袋の形状によって運動が規制される。
【００４５】
これにより、クラブ、ラケット等のスイング中においては、手の甲が外側に曲がる手の動きは阻止されるが、手の甲と同一面内での手の動き（例えばゴルフスイングにおいてはコック方向と称される方向の手の動き）はフリーであり、この手袋を着用してスイングを行えば、曲がりが少なく且つ速度の速い打球を生み出すことが容易となる。
なお、スイングの最後においてクラブの慣性により手の甲が外側に無理に曲げられて手首の関節部を傷めることがあるが、本発明の手袋を着けると、慣性に対して引っ張り部材の引っ張り力が作用してこの慣性力を吸収し、その後、手を元の位置に押し戻すように引っ張り力が作用するため、このような手首の関節部の怪我の防止も図ることができる。
【００４６】
また、車の運転を行う場合においては、ハンドルを握った場合に手の甲が外側に曲がる手の動きは阻止されるため、長時間の運転を行っても手首の疲労を軽減させることができると共に、手の甲と同一面内での手の動きは規制されることがないため、ハンドルを回す動作をはじめとする各運転動作に支障をきたすこともない。
さらに、作業用具を用いて作業を行う場合、例えばスコップを用いて穴掘作業を行う場合に、スコップの取っ手を握った手の手の甲を外側に曲げる動きが規制されるため、腕の力が真直ぐスコップに作用し、効率よく穴掘作業を行うことができる。尚、スコップを地面に刺したときに地面が硬かった場合、反力が手の甲を外側に曲げる方向に作用し、手の甲が外側に無理に曲げられて手首の関節部を傷めることがあるが、本発明の手袋を着けると、反力に対して引っ張り部材の引っ張り力が作用してこの反力を吸収し、その後、手を元の位置に押し戻すように引っ張り力が作用するため、このような手首の関節部の怪我の防止も図ることができる。
【００４７】
また、手首部の手のひら側に伸縮部材を設けたものにあっては、手の甲を直角方向に曲げる運動はある程度許容されるが、伸縮部材の圧縮・引っ張り力に抗した力を加えなければ手首を曲げることができない。このため、スポーツにおいてスイングを行う場合には、手の甲が内側に曲がった手袋の形状を維持することができ、スイングを行う場合や、ハンドルを握っている場合、あるいは作業を行っている場合以外の使い勝手が向上する。
さらに、手袋における手首部の手のひら側を手首部の甲側よりも短く形成したものにあっては、手袋を着用してバンド部をしっかりと固定するだけで、手首に対して手の甲が真直ぐより手のひら側に曲がって保持される。
【００４８】
また、手首部の手のひら側において、上下方向に所定の幅をもって横方向に延びた切り欠きを形成し、切り欠きの開口部を縫合等によって接合させた手袋にあっては、手袋を着用するだけで手首に対して手の甲が真直ぐより手のひら側に曲がって保持される。
また、この切り欠きの開口部に切り欠きを閉じる方向に作用する伸縮部材を取り付けた手袋にあっては、手袋を着用した状態では手首に対して手の甲が真直ぐより手のひら側に曲がって保持され、伸縮部材の力に抗する力を加えれば手の甲を外側に曲げることができる。
【図面の簡単な説明】
【図１】本発明に係る手袋を着用してクラブを握った状態を示す斜視図である。
【図２】前記手袋を示す正面図である。
【図３】前記手袋を着用して車のハンドルを握った状態を示す斜視図である。
【図４】前記手袋を着用してスコップを握った状態を示す斜視図である。
【図５】本発明に係る手袋の異なる例を示す正面図である。
【図６】本発明に係る手袋の異なる例を着用してクラブを握った状態を示す斜視図である。
【図７】前記手袋を示す正面図である。
【図８】前記手袋の図７におけるＢ方向からの矢視図である。
【図９】本発明に係る手袋の異なる例を示す側面図である。
【図１０】前記手袋を着用してクラブを握った状態を示す斜視図である。
【図１１】本発明に係る手袋の異なる例を示す側面図である。
【図１２】本発明に係る手袋の異なる例を示す側面図である。
【図１３】クラブを握った手の動きを示す正面図および側面図である。
【符号の説明】
１  クラブ
１０、２０、３０、４０、６０、８０  手袋
１１、２１、３１、４１、６１、８１  手袋部
１３、２３、３３  バンド部
１５、２５  引っ張り部材（引っ張り手段）
３５、８５  伸縮部材（弾性部材）
４３、６３、８３  手首部
【図１】
0003695774.tif 000002
【図２】
0003695774.tif 000003
【図３】
0003695774.tif 000004
【図４】
0003695774.tif 000005
【図５】
0003695774.tif 000006
【図６】
0003695774.tif 000007
【図７】
0003695774.tif 000008
【図８】
0003695774.tif 000009
【図９】
0003695774.tif 000010
【図１０】
0003695774.tif 000011
【図１１】
0003695774.tif 000012
【図１２】
0003695774.tif 000013
【図１３】
0003695774.tif 000014